(57)【要約】【課題】煩雑な入力操作を必要とせずに、視聴時間やレイティング情報に基づく視聴者ごとの簡単かつ正確な視聴制限を可能にする視聴制限システムを提供する。【解決手段】視聴装置としてのSTB（セット・トップ・ボックス）１と、このSTB１で受信された動画や静止画などのコンテンツを再生するモニタ２と、STB１を無線通信により遠隔操作するユーザ端末３と、ユーザ端末３ごとに視聴時間の制限値をSTB１に設定する管理者端末４とを含む。STB１では、端末IDごとに視聴履歴（視聴時間）および視聴時間の制限値が管理され、ユーザ端末３から視聴要求を受信すると、その端末IDに基づいて視聴時間と制限値とを比較し、視聴時間が制限値を下回っている限りはコンテンツの視聴が許可され、モニタ２上でコンテンツが再生される。【選択図】図１
2010093726.tif 000002
【特許請求の範囲】
【請求項１】
ユーザ端末から視聴要求を受信した視聴設備が、視聴資格を有するユーザ端末からの要求を許可し、視聴資格を有しないユーザ端末からの要求を拒否する視聴制限システムにおいて、
ユーザ端末が、
ユーザ端末に固有の端末IDを管理する端末ID管理手段と、
入力操作を受け付ける入力操作手段と、
視聴要求の入力操作に応答して、端末IDを含む視聴要求を生成する手段と、
前記視聴要求を視聴設備へ送信する無線通信手段とを具備し、
視聴設備が、
ユーザ端末から視聴要求を受信する無線通信手段と、
端末IDごとに視聴時間に関する制限値を管理する手段と、
端末IDごとに視聴時間を管理する手段と、
前記視聴要求に含まれる端末IDごとに視聴時間と制限値とを比較し、視聴時間が制限値を超えているユーザ端末からの視聴要求を拒否し、それ以外を許可する視聴資格判定手段と、
視聴を許可されたユーザ端末からの要求に応答してコンテンツを再生する手段とを具備したことを特徴とする視聴制限システム。
【請求項２】
前記視聴資格判定手段は、複数種の視聴時間を要素とする特徴ベクトルと各視聴時間の制限値を要素とする特徴ベクトルとを比較することを特徴とする請求項１に記載の視聴制限システム。
【請求項３】
前記複数種の視聴時間が、視聴総時間、深夜視聴総時間、長時間視聴総時間および近距離視聴総時間の少なくとも２つを含むことを特徴とする請求項２に記載の視聴制限システム。
【請求項４】
前記視聴設備と無線で通信し、端末IDごとに視聴時間の制限値を設定する管理者端末を更に具備したことを特徴とする請求項１ないし３のいずれかに記載の視聴制限システム。
【請求項５】
前記ユーザ端末がさらに、
ユーザの年齢を含むユーザ属性を管理するユーザ属性管理手段と、
端末IDおよびユーザ属性を含む登録要求を生成する手段とを具備し、
前記無線通信手段が前記登録要求を視聴設備へ送信し、
視聴設備がさらに、
ユーザ端末から受信した登録要求を承認するか否かを審査する登録審査手段と、
承認された登録要求の端末IDおよびユーザ属性を登録するユーザ管理手段と、
ユーザに提供するコンテンツのレイティング情報を管理するレイティング情報管理手段とを具備し、
前記視聴資格判定手段はさらに、視聴要求されたコンテンツのレイティング情報とユーザ属性とに基づいて視聴を許可または拒否することを特徴とする請求項１ないし４のいずれかに記載の視聴制限システム。
【請求項６】
前記無線通信手段がBluetoothモジュールであることを特徴とする請求項１ないし５のいずれかに記載の視聴制限システム。
【請求項７】
前記ユーザ端末が、携帯電話、PDAおよびパーソナルコンピュータのいずれかであることを特徴とする請求項１ないし６のいずれかに記載の視聴制限システム。
【請求項８】
前記入力操作手段が、テンキー、タッチパネル、キーボード、マウスおよび加速度センサのいずれかであることを特徴とする請求項１ないし７のいずれかに記載の視聴制限システム。
【請求項９】
ユーザ端末から視聴要求を受信した視聴設備が、視聴資格を有するユーザ端末からの要求を許可し、視聴資格を有しないユーザ端末からの要求を拒否する視聴制限方法において、
ユーザ端末が、
視聴要求の入力操作に応答して、端末IDを含む視聴要求を生成する手順と、
前記視聴要求を視聴設備へ送信する手順とを含み、
視聴設備が、
ユーザ端末から視聴要求を受信する手順と、
前記視聴要求に含まれる端末IDごとに、別途に管理される視聴時間と制限値とを比較し、視聴時間が制限値を超えているユーザ端末からの視聴要求を拒否し、それ以外を許可する手順と、
視聴を許可されたユーザ端末からの要求に応答してコンテンツを再生する手順とを含むことを特徴とする視聴制限方法。
【発明の詳細な説明】
【技術分野】
【０００１】
本発明は、視聴者を識別してコンテンツの視聴を制限する視聴制限システムに係り、特に、視聴の総時間に基づいて新たな視聴を許可または許否する視聴制限方法およびシステムに関する。
【背景技術】
【０００２】
テレビ放送において、番組内容が性的表現や暴力表現など青少年に有害な表現を含んでいると考えられる場合、視聴者が所定の年齢以上であることを確認した上で視聴を許可することが望まれる。このような要求に対して、送信側で放送内容のレイティング情報（年齢制限）をビデオ信号に重畳またはデジタルデータとして伝送し、受信機側では、受信した番組のレイティング情報が、予め設定された視聴者の年齢を超えている場合に視聴を制限する視聴制限システムが考案されている。このような視聴制限によれば、親が子供に対して視聴不適と判断する番組やチャンネルに対して、予めレイティング情報に基づく視聴の制限を加えることが可能となる。
【０００３】
特許文献１には、レイティング情報に基づく視聴制限の設定や解除を、視聴設備のリモコンから操作する技術が開示されている。特許文献２には、リモコンよる視聴制限機能の設定に加えて、特定の期間設定により、視聴制限機能解除の動作を優先させて正常な番組の再生を可能とする技術が開示されている。
【特許文献１】特開２００２−１９９３６７号公報
【特許文献２】特開２０００−３５４２０９号公報
【発明の開示】
【発明が解決しようとする課題】
【０００４】
特許文献１，２では、最初に成人の管理者がパスワードを設定し、このパスワードに基づいて視聴を制限するコードを入力して設定したり、受信の都度にパスワードを入力したりすることでレイティング情報に基づく視聴制限が可能になり、子供に視聴させたくない番組やチャンネルの視聴を親が制限できるようになる。
【０００５】
また、レイティングの条件にかかわらず、子供の健康や教育の観点から長時間のコンテンツ視聴は避ける事が望ましい。このような場合も視聴者を識別するIDやパスワードで子供の視聴時間を管理すれば、長時間の視聴を親が制限できるようになる。
【０００６】
しかしながら、上記の従来技術では、制限されている番組やチャンネルを親が視聴する際は、その都度リモコン等からIDやパスワードを打ち込んで視聴制限を解除する必要があった。また視聴が終了した後は、改めてIDやパスワードを打ち込むことにより視聴制限を再開させる必要があった。
【０００７】
本発明の目的は、上記の従来技術の課題を解決し、ID入力やパスワード入力などの煩雑な入力操作を必要とせずに、視聴者ごとに簡単かつ正確な視聴制限を可能にする視聴制限方法およびシステムを提供することにある。
【課題を解決するための手段】
【０００８】
上記の目的を達成するために、本発明は、ユーザ端末から視聴要求を受信した視聴設備が、視聴資格を有するユーザ端末からの要求を許可し、視聴資格を有しないユーザ端末からの要求を拒否する視聴制限システムにおいて、以下のような手段を講じた点に特徴がある。
【０００９】
(1)ユーザ端末が、ユーザ端末に固有の端末IDを管理する端末ID管理手段と、入力操作を受け付ける入力操作手段と、視聴要求の入力操作に応答して、端末IDを含む視聴要求を生成する手段と、前記視聴要求を視聴設備へ送信する無線通信手段とを具備し、視聴設備が、ユーザ端末から視聴要求を受信する無線通信手段と、端末IDごとに視聴時間に関する制限値を管理する手段と、端末IDごとに視聴時間を管理する手段と、視聴要求に含まれる端末IDごとに視聴時間と制限値とを比較し、視聴時間が制限値を超えているユーザ端末からの視聴要求を拒否し、それ以外を許可する視聴資格判定手段と、視聴を許可されたユーザ端末からの要求に応答してコンテンツを再生する手段とを具備したことを特徴とする。
【００１０】
(2)ユーザ端末がさらに、ユーザの年齢を含むユーザ属性を管理するユーザ属性管理手段と、端末IDおよびユーザ属性を含む登録要求を生成する手段とを具備し、前記無線通信手段が前記登録要求を視聴設備へ送信し、視聴設備がさらに、ユーザ端末から受信した登録要求を承認するか否かを審査する登録審査手段と、承認された登録要求の端末IDおよびユーザ属性を登録するユーザ管理手段と、ユーザに提供するコンテンツのレイティング情報を管理するレイティング情報管理手段とを具備し、視聴資格判定手段はさらに、視聴要求されたコンテンツのレイティング情報とユーザ属性とに基づいて視聴を許可または拒否することを特徴とする。
【発明の効果】
【００１１】
本発明によれば、以下のような効果が達成される。
【００１２】
(1)ユーザごとに視聴時間に制限値が設定されている場合でも、IDやパスワードなどの情報を入力することなく、端末IDに基づいて視聴制限やその解除を簡単に実施できるようになる。
【００１３】
(2)レイティング（年齢制限）が設定されているコンテンツを視聴する場合でも、IDやパスワードなどの情報を入力することなく、ユーザの年齢に応じた視聴制限およびその解除を簡単に実施できるようになる。
【発明を実施するための最良の形態】
【００１４】
以下、図面を参照して本発明の最良の実施形態について詳細に説明する。図１は、本発明に係るコンテンツ視聴制限システムの構成を示したブロック図であり、CATVや衛星放送の受信機を実装し、ビデオ・オン・デマンド、双方向TV、通信カラオケあるいはインターネットサービスを提供する視聴装置としてのセット・トップ・ボックス(STB)１と、このSTB１で受信された動画や静止画などのコンテンツを再生するモニタ２と、STB１を無線通信により遠隔操作するユーザ端末３としての携帯電話と、ユーザ端末３をリモコン端末としてSTB１へ登録することを承認または拒否したり、あるいはユーザ端末３ごとに視聴時間に関する制限値をSTB１に設定する管理者端末４としての携帯電話とを主要な構成としている。前記ユーザ端末３のユーザは、例えば未成年の子供であり、前記管理者端末４のユーザは、その管理者たる親である。
【００１５】
図２は、本発明におけるユーザ端末３の主要部の構成を示した図であり、ここでは、本発明の説明に不要な構成は図示が省略されている。
【００１６】
端末ID管理部３０２には、ユーザ端末３に固有の端末IDとして、MACアドレスや携帯電話番号などが記憶されている。ユーザ属性管理部３０３には、端末ユーザの属性情報として、ユーザの氏名や年齢などが記憶されている。入力操作部３０５は、キースイッチ、タッチパネルあるいはジョグダイヤルなどで構成され、後に詳述するように、端末ユーザによる登録要求の入力操作や視聴要求の入力操作を受け付ける。メッセージ送信部３０４は、制御コード記憶部３０４ａ、登録要求のメッセージを生成する登録要求生成部３０４ｂ、および視聴要求のメッセージを生成する視聴要求生成部３０４ｃを含む。
【００１７】
前記制御コード記憶部３０４ａには、登録要求のメッセージや視聴要求のメッセージなどのメッセージ種別を識別する制御コードや、STB１の遠隔操作（チャネル切替、音量調整あるいは画質調整など）を識別する制御コードが登録されている。前記登録要求生成部３０４ｂは、入力操作部３０５への登録要求の入力操作を受け付けて、登録要求の制御コード、端末IDおよびユーザ属性を含む登録要求メッセージ（SPPパケット）を生成する。前記視聴要求生成部３０４ｃは、前記入力操作部３０５への視聴要求の入力操作を受け付けて、視聴要求の制御コードおよび端末IDを含む視聴要求メッセージ（SPPパケット）を生成する。前記各メッセージはBluetoothモジュール３０１からSTB１へ無線で送信される。
【００１８】
図３は、本実施形態におけるSTB１の主要部の構成を示した図であり、ここでも本発明の説明に不要な構成は図示が省略されている。
【００１９】
メッセージ受信部１０２は、登録要求のメッセージをユーザ端末３から受信する登録要求受信部１０２ａ、登録応答のメッセージを管理者端末４から受信する登録応答受信部１０２ｂ、視聴要求のメッセージをユーザ端末３から受信する視聴要求受信部１０２ｃ、視聴時間に関する制限値の設定要求のメッセージを管理者端末４から受信する設定要求受信部１０２ｄ、および視聴時間の制限値Tmaxが登録された制限値メッセージを管理者端末４から受信する制限値受信部１０２ｅを含む。
【００２０】
登録審査部１０３は、ユーザ端末３から受信した登録要求を審査する。本実施形態では、登録審査部１０３が登録要求転送部１０３ａを備え、ユーザ端末３から受信した登録要求をBluetoothモジュール１０１経由で管理者端末４へ転送し、その審査を管理者端末４に依頼する。審査結果は登録応答として管理者端末４から返信される。
【００２１】
ユーザ管理部１０４は、前記登録応答受信部１０２ｂで受信される登録応答のメッセージに含まれる審査結果に基づいて、リモコン端末としての登録を承認されたユーザ端末３を識別し、当該ユーザ端末３の端末IDおよびユーザ属性（本実施形態では、氏名および年齢）を対応付けて記憶する。レイティング情報管理部１０６は、ユーザに提供可能な各コンテンツのレイティング情報を管理する。このレイティング情報には、２０歳未満の視聴を禁止するR20、１８歳未満の視聴を禁止するR18および１５歳未満の視聴を禁止するR15などがある。
【００２２】
制限時間管理部１０９において、制限値記憶部１０９ａには視聴時間に関する各種の制限値Tmaxが端末IDごとに記憶される。本実施形態では、「視聴総時間」、「深夜視聴総時間」、「長時間視聴総時間」および「近距離視聴総時間」の各制限値Tmax1，Tmax2，Tmax3，Tmax4 が、前記制限値メッセージにより設定される。前記「視聴総時間」は視聴時間の総和である。前記「深夜視聴総時間」は、深夜の時間帯における視聴時間の総和である。前記「長時間視聴総時間」は、所定の長時間（例えば、２時間）にわたって連続して視聴した時間の総和である。前記「近距離視聴総時間」は、STB１から至近距離で視聴した時間の総和である。STB１からの距離は、例えばBluetooth通信における受信信号の電力レベルに基づいて検知できる。
【００２３】
視聴履歴記憶部１０９ｂには、前記４つの視聴時間に関する履歴情報（総時間）T1，T2，T3，T4がユーザごとに記憶される。計算部１０９ｃは、後に詳述するように、前記４つの視聴時間に関する制限値Tmax1，Tmax2，Tmax3，Tmax4と履歴情報T1，T2，T3，T4とに基づいてユーザごとに視聴違反度Kを算出する。本実施形態では、各制限値Tmaxiと各履歴情報Tiとの乖離度を視聴違反度Kとしている。判定部１０９ｄは、前記視聴違反度Kに基づいて視聴を許可するか否かを判定する。
【００２４】
視聴資格判定部１０５は、前記視聴要求受信部１０２ｃで受信された視聴要求メッセージに登録されている端末IDと対応付けられているユーザ属性をユーザ管理部１０４から抽出すると共に、当該視聴要求メッセージで要求されているコンテンツのレイティング情報をレイティング情報管理部１０６から抽出する。そして、ユーザの年齢がレイティング情報により視聴制限されている年齢を上回っているか否かを判定し、上回っていれば、コンテンツ再生部１０７に対してコンテンツの再生を許可する。コンテンツ再生部１０７は、許可されたコンテンツをコンテンツ受信部１０８から取得し、モニタ２へ出力して再生する。
【００２５】
前記視聴資格判定部１０５はさらに、前記視聴要求受信部１０２ｃで受信された視聴要求メッセージに登録されている端末IDに関して、前記制限時間管理部１０９における視聴資格の判定結果を参照し、視聴総時間が制限値を下回っていれば視聴要求を許可し、それ以外であれば視聴要求を拒否する。
【００２６】
図４は、本実施形態における管理者端末４の主要部の構成を示した図であり、ここでも本発明の説明に不要な構成は図示が省略されている。
【００２７】
登録要求受信部４０４は、前記STB１から転送された登録要求のメッセージをBluetoothモジュール４０１経由で受信する。表示部４０２は、前記登録要求のメッセージから端末IDおよびユーザ属性を抽出して表示する。入力操作部４０５には、前記表示部４０２を参照した管理者により、当該登録要求を承認するか否かの審査結果が入力される。
【００２８】
メッセージ送信部４０３において、登録応答生成部４０３ａは、前記審査結果の登録された登録応答のメッセージを生成する。設定要求生成部４０３ｂは、入力操作部４０５への管理者による設定要求操作に応答して、視聴時間に関する制限値の設定をSTB１に要求する設定要求のメッセージを生成する。制限値生成部４０３ｃは、入力操作部４０５への管理者による制限値Tmaxの入力操作に応答して、制限値Tmaxの登録された制限値メッセージを生成する。各メッセージはBluetoothモジュール４０１からSTB１へ送信される。
【００２９】
図５，６は、STB１、ユーザ端末３および管理者端末４間で送受信される各種メッセージのパケット構造を示した図であり、本実施形態では、SPP (Serial Port Profile)を利用することで、機器同士がシリアルケーブルで接続されている状態をエミュレートしている。
【００３０】
DLE(1)およびSTXの各フィールドには開始マークが登録される。LENフィールドにはDateフィールドの長さが登録される。Dateフィールドは、CMD（コマンド）フィールドおよび複数のValueフィールドを含む。DLE(2)およびETXの各フィールドには終了マークが登録される。SUMフィールドにはチェックサムが登録される。
【００３１】
前記ユーザ端末３からSTB１へ送信される登録要求メッセージおよびSTB１から管理者端末４へ送信される登録要求メッセージであれば、CMDフィールドには「ユーザ登録」に対応した制御コードが前記制御コード記憶部３０４ａから読み込まれて登録され、Value(1)フィールドにはユーザ属性（ここでは、名前および年齢）が登録され、Value(2)フィールドには端末ID（ここでは、携帯電話番号）が登録される。管理者端末４からSTB１へ返信される登録応答メッセージであれば、CMDフィールドには「ユーザ認証」に対応した制御コードが登録され、Value(1)フィールドには審査結果（ここでは、承認または拒否）が登録される。
【００３２】
さらに、ユーザ端末３からSTB１へ送信される視聴要求メッセージであれば、CMDフィールドには、要求されたコマンドに対応した制御コードが登録され、Value(1)フィールドにはコマンドの操作値が登録され、Value(2)フィールドには端末IDや各種の情報が適宜に登録される。例えば、コマンドがチャンネル切替であれば、CMDフィールドには「チャンネル」に対応した制御コードが登録され、Value(1)フィールドには「チャンネル番号」が登録される。
【００３３】
次いで、図７，８，９のフローチャートおよび図１０，１１のタイムチャートを参照して本発明の第１実施形態の動作を詳細に説明する。
【００３４】
図７は、ユーザ端末３の動作を示したフローチャートであり、図８は、STB１の動作を示したフローチャートであり、図９は、管理者端末４の動作を示したフローチャートである。ここでは、ユーザ端末３とSTB１との間、および管理者端末４とSTB１との間に、それぞれBluetoothによる通信セッションが予め確立されているものとして説明する。
【００３５】
ユーザ端末３では、図７のステップＳ１において当該ユーザ端末３をリモコン端末としてSTB１に登録するための入力操作（登録要求操作）が検知されたか否かが判定され、ステップＳ２では、視聴要求のための入力操作（視聴要求操作）が検知されたか否かが判定される。本実施形態では、ユーザ端末３をリモコン端末と使用できるようにするためには、予めユーザ端末３をSTB１へ登録する必要があるので、ここでは、ステップＳ１で登録要求の入力操作が検知されたものとして説明を続ける。
【００３６】
ステップＳ３では、端末ID管理部３０２からユーザ端末３に固有の端末IDが読み込まれる。ステップＳ４では、ユーザ属性管理部３０３から端末ユーザ（子供）の属性が読み込まれる。本実施形態では、ユーザ属性としてユーザの年齢および氏名が読み込まれる。ステップＳ５では、登録要求の制御コード、端末IDおよびユーザ属性がDataフィールドに設定された登録要求のメッセージが前記登録要求生成部３０４ｂで生成される。ステップＳ６では、当該登録要求メッセージがBluetoothモジュール３０１からSTB１へ送信される。
【００３７】
図８へ進み、STB１では、ステップＳ２１において前記登録要求のメッセージが登録要求受信部１０２ａで受信されるとステップＳ２２へ進む。ステップＳ２２では、受信された登録要求のメッセージが登録要求転送部１０３ａにより管理者端末４へ転送される。ステップＳ２３では、管理者端末４から返信される登録応答の受信に備えて待機する。
【００３８】
図９へ進み、管理者端末４では、ステップＳ５１において前記登録要求のメッセージが前記登録要求受信部４０４で受信されるとステップＳ５２へ進み、当該メッセージから端末IDおよびユーザ属性が抽出される。ステップＳ５３では、前記端末IDおよびユーザ属性が表示部４０２に表示される。管理者は表示内容を参照して氏名や年齢を確認し、誤りがなければ登録許可のキー操作で応答し、誤りがあれば登録拒否のキー操作で応答する。ステップＳ５４では、前記キー操作に基づいて登録の許可／拒否が判定され、登録が許可されていればステップＳ５６へ進み、登録許可の登録応答メッセージが返信される。これに対して、登録が拒否されていればステップＳ５５へ進み、登録拒否の登録応答メッセージが返信される。
【００３９】
図８へ戻り、STB１では、ステップＳ２３で前記登録応答のメッセージが受信されるとステップＳ２４へ進み、登録が許可されているか否かが判定される。登録が許可されていれば、ステップＳ２５へ進んで端末IDおよびユーザ属性が抽出され、ステップＳ２６においてユーザ管理部１０４に登録される。
【００４０】
一方、管理者端末４において、入力操作部４０５に対して視聴時間の制限値に関する設定要求の操作がなされ、これが図９のステップＳ５７で検知されるとステップＳ５８へ進む。ステップＳ５８では、設定要求のメッセージが前記設定要求生成部４０３ｂにより生成されてSTB１へ送信される。
【００４１】
図８へ戻り、STB１では、ステップＳ４０において前記設定要求のメッセージが設定要求受信部１０２ｄで受信されるとステップＳ４１へ進み、設定要求を処理する制御が開始される。この設定要求処理では、始めに管理者に制限値を設定させるために必要な情報がモニタ２へ出力される。本実施形態では、ユーザ管理部１０４に既登録の全てのユーザの氏名が一覧表示される。
【００４２】
図９へ戻り、このモニタ２を参照した管理者が、管理者端末４の入力操作部４０５を操作してモニタ２上でユーザを指定すると、この操作がステップＳ５９で検知されてステップＳ６０へ進む。ステップＳ６０では、前記「視聴総時間」、「深夜視聴総時間」、「長時間視聴総時間」および「近距離視聴総時間」の各制限値Tmax1，Tmax2，Tmax3，Tmax4が管理者により入力操作部４０５から入力される。ステップＳ６１では、当該各制限値Tmax1，Tmax2，Tmax3，Tmax4の登録された制限値メッセージが前記制限値生成部４０３ｃで生成されてSTB１へ送信される。
【００４３】
図８へ戻り、STB１では、前記制限値メッセージがステップＳ４１の設定要求処理において受信されると、当該メッセージに登録されている制限値Tmax1，Tmax2，Tmax3，Tmax4が制限値記憶部１０９ａに登録される。
【００４４】
次いで、前記登録に成功したユーザ端末３においてチャンネル切替や音量調節などの視聴操作が行われ、これが図７のステップＳ２で検知されるとステップＳ７へ進む。ステップＳ７では、端末ID管理部３０２から端末IDが読み込まれる。ステップＳ８では、視聴要求の制御コードおよび端末IDがDataフィールドに設定された視聴要求のメッセージが作成され、ステップＳ９でSTB1へ送信される。
【００４５】
図８へ戻り、STB１では、前記視聴要求のメッセージがステップＳ２７で検知されるとステップＳ２８へ進み、当該メッセージから端末IDが抽出される。ステップＳ２９では、要求内容が規制対象であるか否かが判定され、音量調節や画質（明るさ）調整のようにレイティングや視聴時間制限と無関係な要求であれば、ステップＳ３０へ進んで要求に応じた制御が実行される。
【００４６】
これに対して、要求がレイティングの設定されているコンテンツの視聴要求であればステップＳ３１へ進み、要求されたコンテンツのレイティングがレイティング情報管理部１０６から読み込まれる。ステップＳ３２では、ユーザ管理部１０４において前記抽出された端末IDと対応付けられているユーザ属性（ここでは、年齢）とレイティング情報とが比較され、ユーザが制限対象であれば、ステップＳ３９へ進んで視聴が拒否される。
【００４７】
これに対して、ユーザ年齢が制限対象外であればステップＳ３３へ進み、当該ユーザ（端末ID）の視聴時間に関する制限値Tmaxが前記制限値記憶部１０９ａに登録されているか否かが判定される。制限値Tmaxが既登録であればステップＳ３４へ進み、当該ユーザの各制限値Tmaxiが制限値記憶部１０９ａから読み込まれる。ステップＳ３５では、当該ユーザの各視聴履歴Tiが視聴履歴記憶部１０９ｂから読み込まれる。ステップＳ３６では、各制限値Tmaxiおよび履歴情報Tiを次式(1)に適用することで視聴違反度Kが算出される。
【００４８】
【数１】
2010093726.tif 000003
【００４９】
すなわち、視聴総時間、深夜視聴総時間、長時間視聴総時間および近距離視聴総時間の各制限値Tmax1，Tmax2，Tmax3，Tmax4を（200，100，100，50 [時間／月]）とし、それぞれの視聴履歴T1，T2，T3，T4を（150，30，40，10 [時間／月]）とすれば、視聴違反度Kは次式(2)で求められ、ここではK＝0.41となる。
【００５０】
【数２】
2010093726.tif 000004
【００５１】
なお、本実施形態では視聴時間の特徴ベクトルが４つの総時間（視聴総時間、深夜視聴総時間、長時間視聴総時間、近距離視聴総時間）を要素としているが、このうち少なくとも２つの総時間を要素とする特徴ベクトルであっても良い。
【００５２】
ステップＳ３７では、前記視聴違反度Kが基準値Krefと比較され、K＜Krefであれば、ステップＳ３８へ進んで視聴が許可される。これに対して、K≧Krefであれば、ステップＳ３９へ進んで視聴が拒否される。
【００５３】
本実施形態によれば、レイティングのみならず視聴総時間でも視聴を制限できるので、未成年者がコンテンツを長時間にわたって視聴することを防止できるようになる。
【００５４】
なお、上記の各実施形態ではユーザ端末３および管理者端末４が携帯電話であるものとして説明したが、本発明はこれのみに限定されるものではなく、PDAやパーソナルコンピュータであっても良い。また、入力操作部３０５，４０５もテンキー、タッチパネルあるいはジョグダイヤルに限定されず、キーボード、マウスあるいは加速度センサなどであっても良い。
【図面の簡単な説明】
【００５５】
【図１】本発明に係るコンテンツ視聴制限システムの構成を示したブロック図である。
【図２】本発明におけるユーザ端末の構成を示したブロック図である。
【図３】本発明におけるSTBの構成を示したブロック図である。
【図４】本発明における管理者端末の構成を示したブロック図である。
【図５】メッセージのパケット構造を示した図である。
【図６】メッセージパケットのDataフィールドの内容を示した図である。
【図７】ユーザ端末の動作を示したフローチャートである。
【図８】STBの動作を示したフローチャートである。
【図９】管理者端末の動作を示したフローチャートである。
【図１０】ユーザ端末が登録要求を送信したときに動作を示したタイムチャートである。
【図１１】ユーザ端末が視聴要求を送信したときに動作を示したタイムチャートである。
【符号の説明】
【００５６】
１…セット・トップ・ボックス(STB)，２…モニタ，３…ユーザ端末，４…管理者端末
【図１】
2010093726.tif 000005
【図２】
2010093726.tif 000006
【図３】
2010093726.tif 000007
【図４】
2010093726.tif 000008
【図５】
2010093726.tif 000009
【図６】
2010093726.tif 000010
【図７】
2010093726.tif 000011
【図８】
2010093726.tif 000012
【図９】
2010093726.tif 000013
【図１０】
2010093726.tif 000014
【図１１】
2010093726.tif 000015